(57)【特許請求の範囲】
【請求項１】
製氷を行う製氷コーナー部を有する自動製氷機付きの冷蔵庫において、
前記製氷コーナー部は、
冷凍サイクルの蒸発器である冷却器で生成され、送風機により製氷室に送風される冷気により冷却されて製氷を行う皿部と、前記皿部の前記製氷室前側に設けられ、前記皿部に設けられた回転軸と係合して該皿部を回転自在に保持するハンドル部と、を有する製氷皿と、
前記製氷皿を着脱自在に保持する製氷皿保持枠体と、
前記製氷皿保持枠体の前記製氷室奥側に配置され、離氷時に前記製氷皿をひねる駆動軸を有し、前記駆動軸が前記ハンドル部とともに前記製氷皿を保持する製氷皿駆動部と、
前記製氷皿保持枠体に回転自在に軸支され、前記ハンドル部と係合することにより前記製氷皿を収納状態にロックするロックレバーと、を少なくとも備え、
さらに、前記ロックレバーの所定の位置に保持される磁性体と、
前記製氷皿保持枠体に設けられ、前記磁性体の磁束密度を検知する磁束密度検知部と、を具備し、
前記ロックレバーが前記ハンドル部と係合したときのみ、前記磁束密度検知部は前記磁性体の磁束密度を検知するように構成されたことを特徴とする冷蔵庫。
【請求項２】
前記ロックレバーは、前記製氷皿との係合状態が解除されたとき、自動的に前記磁性体が前記磁束密度検知部の検知範囲外となるような位置に移動することを特徴とする請求項１の冷蔵庫。
【請求項３】
前記ロックレバーの重心が前記磁性体側にあり、前記ロックレバーと前記製氷皿との係合状態が解除されたとき、前記ロックレバーの自重により自動的に前記磁性体が前記磁束密度検知部の検知範囲外となるような位置に移動することを特徴とする請求項２の冷蔵庫。
【発明の詳細な説明】
【技術分野】
【０００１】
この発明は、使用者が製氷皿を取り外して洗える機構を有する自動製氷機を備えた冷蔵庫に関するものである。
【背景技術】
【０００２】
使用者が取り外して清掃可能な製氷皿を備え、自動製氷機下部の貯氷箱に蓄えた氷の量が一定以上のとき（満氷時）には製氷皿への給水を行わない制御を行い、給水動作前には自動製氷機に備えた検氷レバーが上下に動作して氷の嵩を測る検氷動作を行う自動製氷機を有する冷蔵庫において、製氷皿が取り外された状態にあるときには検氷レバーの動作範囲の満氷と検知する位置に障害物（規制手段）を出現させることで皿無し状態での貯氷箱への直接給水を防ぐ構造の冷蔵庫が提案されている（例えば、特許文献１参照）。
【先行技術文献】
【特許文献】
【０００３】
【特許文献１】特開２００７−０７１４６６号公報
【発明の概要】
【発明が解決しようとする課題】
【０００４】
上記特許文献１に開示された皿無し時給水防止機構は、皿無し時に検氷用レバーの動作を実使用時の満氷位置よりも上方で妨げる機構が設けられる。しかし、製氷室は定期的に給水されるために冷凍温度帯にしては湿度が高く、部屋内での霜付きや冷凍室扉開閉時の露付きによる氷柱の発生等が懸念される部屋である。そのため、長期間の皿無しもしくは皿有り状態では前記機構が氷結し、動作しなくなる可能性がある。
【０００５】
この発明は、上記のよう課題を解決するためになされたもので、ロックレバーにより製氷皿を収納状態にロックすることができるとともに、製氷皿の有無を磁気的に検知し、高湿度条件下でも安定して皿無し時の給水動作を防ぐことができ、さらに製氷皿が定位置にまで挿入されていない半挿入状態での給水動作よび製氷皿のひねり動作を防ぐことができる冷蔵庫を提供する。
【課題を解決するための手段】
【０００６】
この発明に係る冷蔵庫は、製氷を行う製氷コーナー部を有する自動製氷機付きの冷蔵庫において、
製氷コーナー部は、
冷凍サイクルの蒸発器である冷却器で生成され、送風機により製氷室に送風される冷気により冷却されて製氷を行う皿部と、皿部の製氷室前側に設けられ、皿部に設けられた回転軸と係合して皿部を回転自在に保持するハンドル部と、を有する製氷皿と、
製氷皿を着脱自在に保持する製氷皿保持枠体と、
製氷皿保持枠体の製氷室奥側に配置され、離氷時に製氷皿をひねる駆動軸を有し、駆動軸がハンドル部とともに製氷皿を保持する製氷皿駆動部と、
製氷皿保持枠体に回転自在に軸支され、製氷皿を収納状態にロックするロックレバーと、を少なくとも備え、
さらに、ロックレバーの所定の位置に保持される磁性体と、
製氷皿保持枠体に設けられ、磁性体の磁束密度を検知する磁束密度検知部と、を具備したものである。
【発明の効果】
【０００７】
この発明に係る冷蔵庫は、ロックレバーにより製氷皿を収納状態にロックすることができるとともに、製氷皿の有無を磁気的に検知し、高湿度条件下でも安定して皿無し時の給水動作を防ぐことができるとともに、製氷皿が定位置にまで挿入されていない半挿入状態での給水動作および製氷皿のひねり動作を防ぐことができる。
【図面の簡単な説明】
【０００８】
【図１】実施の形態１を示す図で、製氷コーナー部１０の分解斜視図。
【図２】実施の形態１を示す図で、製氷皿１の斜視図。
【図３】実施の形態１を示す図で、製氷皿１の平面図。
【図４】図３のＡ−Ａ断面図。
【図５】実施の形態１を示す図で、製氷皿１のハンドル部１ｂ側端部付近の部分断面図。
【図６】実施の形態１を示す図で、製氷皿１の製氷皿駆動部４側端部付近の断面図。
【図７】実施の形態１を示す図で、製氷皿駆動部４の斜視図。
【図８】実施の形態１を示す図で、製氷皿１収納時の製氷コーナー部１０の斜視図。
【図９】実施の形態１を示す図で、製氷皿１引き出し時の製氷コーナー部１０の斜視図。
【図１０】実施の形態１を示す図で、製氷皿１がない時の製氷コーナー部１０の斜視図。
【図１１】実施の形態１を示す図で、製氷皿嵌合部品（左）６ａの斜視図。
【図１２】実施の形態１を示す図で、製氷コーナー部１０の前面側端部の拡大断面図。
【図１３】図１２のＢ部拡大図。
【図１４】図１２のＣ部拡大図。
【図１５】実施の形態１を示す図で、製氷コーナー部１０の正面図。
【図１６】図１５のＤ部拡大図。
【図１７】実施の形態１を示す図で、ロックレバー１１回転時の製氷コーナー部１０の全体斜視図。
【図１８】実施の形態１を示す図で、図１７の正面図。
【図１９】図１８のＥ部拡大図。
【図２０】実施の形態１を示す図で、（ａ）はロックレバー１１の全体斜視図、（ｂ）はロックレバー１１平面図。
【図２１】実施の形態１を示す図で、（ａ）はロックレバー１１の正面図、（ｂ）はＺ−Ｚ断面図。
【図２２】実施の形態１を示す図で、（ａ）は製氷皿１のハンドル部１ｂの正面図、（ｂ）はＹ−Ｙ断面図。
【図２３】実施の形態１を示す図で、（ａ）は製氷皿１ロック状態での製氷皿ハンドル部１ｂとロックレバー１１の正面図、（ｂ）はＸ−Ｘ断面図。
【発明を実施するための形態】
【０００９】
実施の形態１．
図１は実施の形態１を示す図で、製氷コーナー部１０の分解斜視図である。自動製氷機（全体は図示を省く）の製氷コーナー部１０の構成を、図１を参照しながら説明する。
【００１０】
製氷コーナー部１０は、以下に示す要素を少なくとも備える。
（１）通常冷蔵室に設けられる給水タンク（図示せず）から水が供給され、冷却器（冷凍サイクルの蒸発器、図示せず）で生成され、送風機（図示せず）により製氷室（製氷コーナー部１０が設けられる室）に送風される冷気により冷却されて製氷を行う皿部１ａと、この皿部１ａの製氷室手前側に設けられ、皿部１ａに設けられた回転軸１ａ−１（図３参照）と係合して該皿部を回転自在に保持するハンドル部１ｂと、を有する製氷皿１；
（２）製氷皿１を保持するとともに、後述するロックレバー１１内の磁性体８を検知する磁束密度検知部９（後述する）を備える製氷皿保持枠体３；
（３）製氷皿保持枠体３の製氷室奥側に配置され、離氷時に製氷皿１をひねる動作を行うとともに、製氷皿１から離氷されて製氷室に貯まる氷の嵩を検知する検氷レバー５を操作する製氷皿駆動部４；
（４）製氷皿保持枠体３の間口部３ｂに取り付けられ、製氷皿１のハンドル部１ｂと嵌合する製氷皿嵌合部品（左）６ａ及び製氷皿嵌合部品（右）６ｂ；
（５）製氷室の氷の嵩を検知する検氷レバー５；
（６）製氷皿保持枠体３の前面３ａに移動自在に取り付けられ、内部に磁性体（例えば、永久磁石）を有するロックレバー１１（後述する）。
【００１１】
図２乃至図４は実施の形態１を示す図で、図２は製氷皿１の斜視図、図３は製氷皿１の平面図、図４は図３のＡ−Ａ断面図である。製氷皿１は、平面視で略長方形の皿状の皿部１ａを備える。また、皿部１ａの製氷室手前側にハンドル部１ｂが設けられる。ハンドル部１ｂは、例えば、使用者が製氷皿１を洗うために製氷皿保持枠体３から取り外すときに用いられる（その反対に、洗浄した製氷皿１を製氷皿保持枠体３に取り付ける場合にも用いられる）。ハンドル部１ｂは、製氷皿保持枠体３の間口部３ｂに取り付けられる製氷皿嵌合部品（左）６ａ及び製氷皿嵌合部品（右）６ｂと嵌合する（詳細は後述する）。
【００１２】
図４のＡ−Ａ断面図に示すように、製氷皿１において、皿部１ａとハンドル部１ｂとは、皿部１ａの回転軸１ａ−１がハンドル部１ｂの穴部１ｂ−１と嵌合する（詳しくは、図５により後述する）。また、皿部１ａの製氷皿駆動部４側端部に、製氷皿駆動部４の駆動軸４ａ（詳しくは、図７により後述する）と嵌合する凹部１ａ−３が形成されている。皿部１ａは、ハンドル部１ｂ（製氷皿嵌合部品（左）６ａ及び製氷皿嵌合部品（右）６ｂもしくは製氷皿保持枠体３に係合する）と製氷皿駆動部４とにより保持される。
【００１３】
図５は実施の形態１を示す図で、製氷皿１のハンドル部１ｂ側端部付近の部分断面図である。ハンドル部１ｂと皿部１ａとの嵌合構造を示している。皿部１ａとハンドル部１ｂとは、皿部１ａの回転軸１ａ−１のハンドル部１ｂ側端部に形成されている矢じり形状部１ａ−２が、ハンドル部１ｂの穴部１ｂ−１と嵌合し、保持される。
【００１４】
皿部１ａの回転軸１ａ−１とハンドル部１ｂの穴部１ｂ−１との嵌合は、遊嵌（遊びをもった状態に嵌めること）である。従って、皿部１ａの回転軸１ａ−１とハンドル部１ｂの穴部１ｂ−１との間には、所定の隙間１５をあえて形成している。追って説明するが、製氷皿１を製氷皿保持枠体３に取り付けるとき、ハンドル部１ｂが製氷皿嵌合部品（左）６ａ及び製氷皿嵌合部品（右）６ｂもしくは製氷皿保持枠体３に係合する。そして、製氷皿１を製氷皿保持枠体３から引き出すとき、その係合を解除するためにハンドル部１ｂを回転する必要がある。ハンドル部１ｂを回転させるためには、皿部１ａの回転軸１ａ−１とハンドル部１ｂの穴部１ｂ−１との間に所定の隙間１５が必要となる。
【００１５】
尚、図４と図５のハンドル部１ｂの断面形状が異なるが、人の手（指）がハンドル部１ｂ内に下から入り操作できればよいので、ハンドル部１ｂの断面形状は任意でよい。
【００１６】
図６、図７は実施の形態１を示す図で、図６は製氷皿１の製氷皿駆動部４側端部付近の断面図、図７は製氷皿駆動部４の斜視図である。図６に示すように、皿部１ａの製氷皿駆動部４側端部に、製氷皿駆動部４の駆動軸４ａと嵌合する凹部１ａ−３が形成されている。
【００１７】
図７に示すように、製氷皿保持枠体３の製氷室奥側に配置される製氷皿駆動部４は、製氷皿１側端部の略中央部に製氷皿１の皿部１ａの製氷皿駆動部４側端部に形成された凹部１ａ−３と嵌合する駆動軸４ａが形成されている。製氷皿駆動部４の駆動軸４ａが回転することで、製氷皿１の皿部１ａがひねられて皿部１ａ内の氷は製氷室に落下する。駆動軸４ａの形状は、製氷皿１側から見て、略長方形であり、短辺が外側に凸の円弧形状になっている。
【００１８】
製氷皿駆動部４には、製氷皿１から離氷して製氷室内に貯まる氷の嵩を検知する検氷レバー５も取り付けられている。検氷レバー５は、製氷皿駆動部４に設けられた検氷レバー駆動軸４ｂにより上下方向に可動する。
【００１９】
図８乃至図１０は実施の形態１を示す図で、図８は製氷皿１収納時の製氷コーナー部１０の斜視図、図９は製氷皿１引き出し時の製氷コーナー部１０の斜視図、図１０は製氷皿１がない時の製氷コーナー部１０の斜視図である。
【００２０】
製氷コーナー部１０は、製氷皿１収納時、製氷室前側に製氷皿保持枠体３の前面３ａ（製氷皿挿入用間口形状部）に、製氷皿１のハンドル部１ｂが、使用者がいつでも製氷皿１を引きだすことができるように、ハンドル部１ｂの下端の開口部が製氷皿保持枠体３の前面３ａから前方へ突出している（図８）。
【００２１】
また、製氷コーナー部１０は、製氷皿保持枠体３の前面３ａに、製氷皿１収納時に製氷皿１に係合してロックするロックレバー１１が軸支されている（後述する）。
【００２２】
図８の製氷皿１が製氷皿保持枠体３に収納された状態から、ロックレバー１１の製氷皿保持枠体３との係合を解除して（図８では、ロックレバー１１を時計方向に回転する（製氷室前側から見て））、使用者がハンドル部１ｂに手等をかけて製氷皿１を引きだした状態が図９である。製氷皿１のハンドル部１ｂは、製氷皿嵌合部品（左）６ａ及び製氷皿嵌合部品（右）６ｂもしくは製氷皿保持枠体３に係合しているが、使用者がハンドル部１ｂの下から手等を入れて手前に引くと、ハンドル部１ｂが手前上方向に回転して係合が解除される。係合が解除された後は、製氷皿１を製氷皿保持枠体３から容易に引き出すことができる。尚、製氷皿１のハンドル部１ｂと、製氷皿嵌合部品（左）６ａ及び製氷皿嵌合部品（右）６ｂもしくは製氷皿保持枠体３との係合については、後述する。
【００２３】
図１０は製氷皿保持枠体３内に製氷皿１がない状態を示しているが、製氷皿保持枠体３の前面３ａの間口部３ｂに、製氷皿保持枠体３の前面３ａから見て左側の製氷皿嵌合部品（左）６ａの裏面が見えている。また、ロックレバー１１は、時計方向に回転した状態を維持する（この点については、後述する）。
【００２４】
図１１は実施の形態１を示す図で、製氷皿嵌合部品（左）６ａの斜視図である。製氷皿嵌合部品（左）６ａと製氷皿嵌合部品（右）６ｂは、鏡面対称に形成される。ここでは、製氷皿嵌合部品（左）６ａについて、説明する。製氷皿嵌合部品（左）６ａは、製氷皿保持枠体３に取り付けられた状態で製氷皿保持枠体３の前面３ａ側から見ると、全体形状が略Ｌ字状である。また、製氷皿嵌合部品（左）６ａは、製氷皿保持枠体３に取り付けられた状態で製氷皿保持枠体３の内部から見ると、全体形状が縦長の略長方形である。但し、ロックレバー１１が設けられるため、製氷皿嵌合部品（右）６ｂは、無くてもよい。
【００２５】
図１１に示すように、製氷皿嵌合部品（左）６ａは、少なくとも以下の要素から構成される。
（１）上記Ｌ字の垂直部分である垂直片６ａ−１；  
（２）上記Ｌ字の水平部分である水平片６ａ−２；
（３）垂直片６ａ−１の上部手前（図１１において）に立設し、断面が略円形の略円形凸形状部６ａ−３；
（４）垂直片６ａ−１の略中央部奥（図１１において）に立設する凸形状部６ａ−５；
（５）水平片６ａ−２に立設し、円弧状のバネ性を有するバネ形状部６ａ−４。
【００２６】
製氷皿嵌合部品（左）６ａ及び製氷皿嵌合部品（右）６ｂの材料は、ＰＯＭ（ポリアセタール）である。ＰＯＭ（ポリアセタール）は、オキシメチレン（ｏｘｙｍｅｔｈｙｌｅｎｅ、ＣＨ２Ｏ）構造を単位構造にもつポリマーである。ポリアセタールは非晶部分と結晶部分が混在するために、強度、弾性率、耐衝撃性に優れたエンジニアリングプラスチックである。また摺動特性に優れている為、軸受け部品としても利用されている。但し、製氷皿嵌合部品（左）６ａ及び製氷皿嵌合部品（右）６ｂの材料は、ＰＯＭ以外に、ＰＰ（ポリプロピレン）を用いてもよい。
【００２７】
製氷皿嵌合部品（左）６ａには円弧状のバネ形状部６ａ−４を備えるので、製氷皿嵌合部品（左）６ａ（製氷皿嵌合部品（右）６ｂも同様）の材料には、強度、弾性率、耐衝撃性に優れたエンジニアリングプラスチックであるＰＯＭ（ポリアセタール）が適する。
【００２８】
製氷皿１の皿部１ａ、ハンドル部１ｂの材料は、例えば、ＰＳ（ポリスチレン樹脂）である。
【００２９】
図１２乃至図１４は実施の形態１を示す図で、図１２は製氷コーナー部１０の前面側端部の拡大断面図、図１３は図１２のＢ部拡大図、図１４は図１２のＣ部拡大図である。
【００３０】
図１２乃至図１４を参照しながら製氷皿１のハンドル部１ｂと製氷皿嵌合部品６との嵌合構造（係合構造）について説明する。図１２は製氷皿１のハンドル部１ｂが製氷皿嵌合部品６に係合している状態を示している。製氷皿１のハンドル部１ｂは、以下に示す製氷皿嵌合部品６の二箇所に係合している。
（１）ハンドル部１ｂの第１の爪形状部１ｂ−２が、製氷皿嵌合部品６の略円形凸形状部６ａ−３に係合している（図１３）；
（２）ハンドル部１ｂの第２の爪形状部１ｂ−３が、製氷皿嵌合部品６の凸形状部６ａ−５及び円弧状のバネ形状部６ａ−４に係合している（図１４）。
【００３１】
図１２の製氷皿１のハンドル部１ｂが製氷皿嵌合部品６に係合している状態から、図１２の矢印の方向に力が加わると、略円形凸形状部６ａ−３を回転軸としてハンドル部１ｂが回転する。すると、第２の爪形状部１ｂ−３がバネ形状部６ａ−４を押し下げて凸形状部６ａ−５から外れる。この状態になると、第１の爪形状部１ｂ−２と略円形凸形状部６ａ−３との係合も容易に外れるので、製氷皿１を製氷皿保持枠体３から引き出すことができる。
【００３２】
尚、上述の説明では、製氷皿嵌合部品６は、製氷皿保持枠体３とは別部品とした。その理由は、以下の通りである。
（１）バネ形状部６ａ−４は、強度、弾性率、耐衝撃性に優れたエンジニアリングプラスチックであるＰＯＭ（ポリアセタール）が適する；
（２）但し、ＰＯＭ（ポリアセタール）は、ＰＳ（ポリスチレン樹脂）等に比べるとコストが高い；
（３）従って、強度及びコストの両方を満足させるには、製氷皿嵌合部品６をＰＯＭ（ポリアセタール）で作り、製氷皿保持枠体３をＰＳ（ポリスチレン樹脂）等で作るのが好ましい。
【００３３】
但し、ＰＯＭ（ポリアセタール）を材料として、製氷皿嵌合部品６と製氷皿保持枠体３とを一体で成形することでもよい。この場合、製氷皿嵌合部品６のみＰＯＭ（ポリアセタール）で作製する場合に比べて割高になる。
【００３４】
製氷コーナー部１０は、以上のように構成されるが、本実施の形態の最大の特徴は、製氷皿１の有無を磁気的に検知し、高湿度条件下でも安定して皿無し時の給水動作を防ぐことができるとともに、製氷皿１が定位置にまで挿入されていない半挿入状態での給水動作よび製氷皿１のひねり動作を防ぐことができる点にある。
【００３５】
上記を実現する具体的な構成を、以下説明する。図１５、図１６は実施の形態１を示す図で、図１５は製氷コーナー部１０の正面図、図１６は図１５のＤ部拡大図である。
【００３６】
図１５は、製氷皿１が製氷皿保持枠体３に挿入され、且つロックレバー１１が製氷皿１のハンドル部１ｂに係合してロックしている状態を示している。このとき、ロックレバー１１に内蔵されている磁性体８（例えば、永久磁石）が、製氷皿保持枠体３の磁束密度検知部９に対向している（図１６の拡大図も参照）。磁束密度検知部９は、磁性体８が発生する磁束を検知し、磁束密度により製氷皿１が正規位置にあるかどうかを判断する。尚、磁性体８は、断面が長方形の略直方体である。
【００３７】
このように、ロックレバー１１が製氷皿１のハンドル部１ｂに係合してロックしている状態において、磁性体８が磁束密度検知部９により検知される領域（例えば、対向位置）となるようにすることで、製氷皿１の有無を検知する。
【００３８】
図１７乃至図１９は実施の形態１を示す図で、図１７はロックレバー１１回転時の製氷コーナー部１０の全体斜視図、図１８は図１７の正面図、図１９は図１８のＥ部拡大図である。
【００３９】
製氷皿１を製氷皿保持枠体３から取り外す際には、図１７乃至図１９に示すような位置まで、ロックレバー１１と製氷皿１のハンドル部１ｂとの係合を解除して、ロックレバー１１を回転させる。ここでは、製氷皿１のハンドル部１ｂを正面から見て、時計方向に回転させる。
【００４０】
ロックレバー１１と製氷皿１のハンドル部１ｂとの係合を解除してロックレバー１１を回転させると、ロックレバー１１の傾斜辺１１ａが製氷皿保持枠体３の壁に当接する。ロックレバー１１は、重心が磁性体８側に位置するように設計されている。従って、ロックレバー１１と製氷皿１のハンドル部１ｂとの係合を解除すると、ロックレバー１１は自重で磁性体８側に回転する（ロックレバー１１を正面から見て、時計方向）。
【００４１】
この動作により、磁性体８は磁束密度検知部９より離れ、磁束密度検知部９が磁性体８を検知できないため、製氷皿１は無いものとして判定される。ロックレバー１１が外されても、ユーザが製氷皿１を製氷皿保持枠体３から取り外さない場合は、現実には「皿なし」ではないが、ロックレバー１１が外されているだけの状態も「皿なし」の状態とする。図示はしないが、磁束密度検知部９が磁性体８を検知できないときは、例えば、冷蔵庫の前面の表示部に、「皿なし」の警告ランプを点灯される。
【００４２】
図２０は実施の形態１を示す図で、（ａ）はロックレバー１１の全体斜視図、（ｂ）はロックレバー１１平面図である。回転自在なロックレバー１１の例として、図２０（ａ）の破線で示す直方体部に磁性体８を保持し、図２０（ｂ）に示すロックレバー回転軸１２を軸として、製氷皿保持枠体３に回転自在に保持（軸支）される構成とする。
【００４３】
図２１は実施の形態１を示す図で、図２１（ａ）はロックレバー１１の正面図、図２１（ｂ）はＺ−Ｚ断面図である。図２１に示すように、ロックレバー１１は、製氷皿１のロック機構としてハンドル部１ｂとのロックレバー側係合部１３を有する。ロックレバー側係合部１３は、断面が略錨状の係合片である。
【００４４】
図２２、図２３は実施の形態１を示す図で、図２２（ａ）は製氷皿１のハンドル部１ｂの正面図、図２２（ｂ）はＹ−Ｙ断面図、図２３（ａ）は製氷皿１ロック状態での製氷皿ハンドル部１ｂとロックレバー１１の正面図、図２３（ｂ）はＸ−Ｘ断面図である。
【００４５】
図２２、図２３に示すように、ハンドル部１ｂ側にもロックレバー側係合部１３と係合するハンドル部側係合部１４を設ける。このとき、例えばロックレバー１１の重心を磁性体８側に位置するように設計することにより、製氷皿１が無いとき（もしくはロックレバー１１とハンドル部１ｂ未係合時）には、ロックレバー１１は自重で回転するため、磁性体８と磁束密度検知部９は皿無し時には確実に図１８、図１９の位置関係となる。これにより、皿無し状態なのにロックレバー１１だけがロック時の位置にあり、皿有りと判定されるようなケースを防ぐことができる。
【００４６】
また、ロックレバー１１に設けられた磁性体８が、磁束密度検知部９の検知範囲外となるような位置になるまで、ロックレバー１１とハンドル部１ｂの係合状態が解除されないように、ロックレバー側係合部１３、ハンドル部側係合部１４を調整することにより（ロックレバー１１とハンドル部１ｂの係合状態が解除されたときは、ロックレバー１１に設けられた磁性体８は磁束密度検知部９の検知範囲外に必ずあるようにする）、ロックレバー１１の移動機構が氷結した際に磁性体８が磁束密度検知部９の検知範囲外に出る前に止まってしまい、誤検知（ロックレバー１１とハンドル部１ｂの係合状態が解除されているのに、磁束密度検知部９が磁性体８を検知して、ロックレバー１１とハンドル部１ｂの係合状態が解除されていないという、誤検知）するようなケースを防ぐことができる。
【００４７】
なお、今回はロックレバー１１が回転可能に保持される機構を例として挙げたが、ロックレバー１１が、例えば閂（かんぬき）のようにスライドする機構であっても同様の効果を奏する。
【符号の説明】
【００４８】
１  製氷皿、１ａ  皿部、１ａ−１  回転軸、１ａ−２  矢じり形状部、１ａ−３  凹部、１ｂ  ハンドル部、１ｂ−１  穴部、１ｂ−２  第１の爪形状部、１ｂ−３  第２の爪形状部、１ｂ−４  爪形状部、３  製氷皿保持枠体、３ａ  前面、３ｂ  間口部、４  製氷皿駆動部、４ａ  駆動軸、４ｂ  検氷レバー駆動軸、５  検氷レバー、６ａ  製氷皿嵌合部品（左）、６ａ−１  垂直片、６ａ−２  水平片、６ａ−３  略円形凸形状部、６ａ−４  バネ形状部、６ａ−５  凸形状部、６ｂ  製氷皿嵌合部品（右）、８  磁性体、９  磁束密度検知部、１０  製氷コーナー部、１１  ロックレバー、１１ａ  傾斜辺、１２  ロックレバー回転軸、１３  ロックレバー側係合部、１４  ハンドル部側係合部、１５  隙間。
【図１】
0005441849.tif 000002
【図２】
0005441849.tif 000003
【図３】
0005441849.tif 000004
【図４】
0005441849.tif 000005
【図５】
0005441849.tif 000006
【図６】
0005441849.tif 000007
【図７】
0005441849.tif 000008
【図８】
0005441849.tif 000009
【図９】
0005441849.tif 000010
【図１０】
0005441849.tif 000011
【図１１】
0005441849.tif 000012
【図１２】
0005441849.tif 000013
【図１３】
0005441849.tif 000014
【図１４】
0005441849.tif 000015
【図１５】
0005441849.tif 000016
【図１６】
0005441849.tif 000017
【図１７】
0005441849.tif 000018
【図１８】
0005441849.tif 000019
【図１９】
0005441849.tif 000020
【図２０】
0005441849.tif 000021
【図２１】
0005441849.tif 000022
【図２２】
0005441849.tif 000023
【図２３】
0005441849.tif 000024